(57)【要約】【課題】根掛かりの少ない餌木を提供できるようにする。【解決手段】  餌木１は、細長い擬餌形状からなる餌木本体２と、餌木本体２の頭部に設けられた、釣り糸を接続するラインアイ３と、餌木本体２の尾部に設けられたフック４と、餌木本体２の下部（腹部）の頭部側に内蔵されたウェイト６とを備える。このようにウェイト６が餌木１のボディラインの内側に位置するので、餌木１が海底の岩や藻に引っ掛かりにくく、根掛かりしにくくなる。また、水中移動時の抵抗を軽減させて、より俊敏な動きを行うことができる。【選択図】図１
2011092037.tif 000002
【特許請求の範囲】
【請求項１】
細長い擬餌形状からなる餌木本体と、
前記餌木本体の頭部に設けられた、釣り糸を接続するラインアイと、
前記餌木本体の尾部に設けられたフックと、
前記餌木本体の腹部の頭部側にてボディラインの内側に位置するように設けられたウェイトとを備えたことを特徴とする餌木。
【請求項２】
前記餌木本体は中空であり、前記ウェイトが内蔵されていることを特徴とする請求項１に記載の餌木。
【請求項３】
前記餌木本体の表面に前記ウェイトが部分的に露出していることを特徴とする請求項２に記載の餌木。
【請求項４】
前記餌木本体の腹部の頭部側に凹部が形成されており、その凹部に前記ウェイトが接合されていることを特徴とする請求項１に記載の餌木。
【発明の詳細な説明】
【技術分野】
【０００１】
本発明は、アオリイカ等のイカ釣りに用いられる餌木に関する。
【背景技術】
【０００２】
イカは海中をゆっくり沈下する餌を捕食する習性があり、そのような習性を利用して、餌木を用いたイカ釣りが行われている。餌木はエビや魚に似せた疑餌であり、頭部に釣り糸を接続するラインアイが、尾部にフックが設けられている。また、腹部の頭部側には、餌木を水中に沈めるためのウェイトが突設されている（例えば特許文献１を参照）。
【０００３】
餌木を用いたアオリイカの釣法は、釣り糸に取り付けた餌木を水中にキャストした後、釣り竿を操って餌木を海面方向へしゃくり上げては再び沈下させる等の動作を繰り返していくのが一般的である。既述したように餌木はその腹部の頭部側に水中に沈めるためのウェイトが突設されており、釣り糸を引かない状態で頭部を斜め下方に向けて沈下し、釣り糸を引くことで頭部を上方に向けさせることができる。
【先行技術文献】
【特許文献】
【０００４】
【特許文献１】特開２００９−５６２８号公報
【発明の概要】
【発明が解決しようとする課題】
【０００５】
通常、餌木においては腹部の頭部側にてウェイトが突設されているが、ウェイトが突出しているため、餌木が海底の岩や藻に引っ掛かる根掛かりがしやすくなるという問題があった。また、ウェイトが突出しているため、水中移動時の抵抗となってしまうという問題があった。
【０００６】
本発明は、上記のような点に鑑みてなされたものであり、根掛かりが少なく、水中移動時の抵抗を軽減させることのできる餌木を提供できるようにすることを目的とする。
【課題を解決するための手段】
【０００７】
本発明の餌木は、細長い擬餌形状からなる餌木本体と、前記餌木本体の頭部に設けられた、釣り糸を接続するラインアイと、前記餌木本体の尾部に設けられたフックと、前記餌木本体の腹部の頭部側にてボディラインの内側に位置するように設けられたウェイトとを備えたことを特徴とする。
また、本発明の餌木の他の特徴とするところは、前記餌木本体は中空であり、前記ウェイトが内蔵されている点にある。
また、本発明の餌木の他の特徴とするところは、前記餌木本体の表面に前記ウェイトが部分的に露出している点にある。
あた、本発明の餌木の他の特徴とするところは、前記餌木本体の腹部の頭部側に凹部が形成されており、その凹部に前記ウェイトが接合されている点にある。
【発明の効果】
【０００８】
本発明によれば、根掛かりが少なく、また、水中移動時の抵抗を軽減させて、より俊敏な動きを行うことができる餌木を提供することができる。
【図面の簡単な説明】
【０００９】
【図１】第１の実施形態に係る餌木の側面図である。
【図２】第１の実施形態に係る餌木におけるウェイトを説明するための図である。
【図３】第２の実施形態に係る餌木の側面図である。
【図４】第１の実施形態に係る餌木の底面図である。
【図５】第３の実施形態に係る餌木におけるウェイトを説明するための図である。
【図６】餌木本体の他の形状の例を説明するための図である。
【図７】フックの他の形状の例を説明するための図である。
【発明を実施するための形態】
【００１０】
以下、添付図面を参照して、本発明の好適な実施形態について説明する。
（第１の実施形態）
図１は、第１の実施形態に係る餌木１の側面図である。図１に示すように、餌木１は、細長い擬餌形状からなる餌木本体（ボディ）２を備え、餌木本体２の前端部（頭部）に釣り糸を接続するラインアイ３が設けられ、後端部（尾部）にフック４が設けられている。また、餌木本体２の左右側面には毛５が植毛されている。
【００１１】
餌木本体２は木材や合成樹脂で形成され、それ自体は水に浮くように設定されている。そして、餌木本体２に色彩模様が塗装されたり、色彩模様を有する布が貼着されたりして、外観がエビや魚に似せた疑餌をなすように構成される。本実施形態では、図２に示すように、餌木本体２は中空部を有する合成樹脂製とされ、左右に分割した右ハーフ及び左ハーフを接合する構成となっている。なお、図２では、ラインアイ３及びフック４の図示を省略する。
【００１２】
ここで、図２に示すように、餌木本体２の下部（腹部）の頭部側に、ウェイト（錘）６が内蔵されている。すなわち、ウェイト６は、餌木１のボディラインの内側に位置するように設けられている。ウェイト６の形状や材質は問わないが、餌木本体２内でしっかりと固定できるようにする。
【００１３】
以上述べた本実施形態に係る餌木１では、腹部の頭部側にウェイト６が配設されているので、釣り糸を引かない状態で頭部を斜め下方に向けて沈下し、釣り糸を引くことで頭部を上方に向けさせることができる。
【００１４】
また、ウェイト６が餌木１のボディラインの内側に位置するので、餌木１が海底の岩や藻に引っ掛かりにくく、根掛かりしにくくなる。
【００１５】
さらに、ウェイト６が餌木１のボディラインの内側に位置するので、水中移動時の抵抗を軽減させて、より俊敏な動きを行うことができる。例えば、アクション時にダート（左右に移動する動き）をスムーズに行うことができる。
【００１６】
（第２の実施形態）
図３、４は、第２の実施形態に係る餌木１の側面図、底面図である。なお、図３、４では、ラインアイ３、フック４、毛５等の図示を省略する。第２の実施形態でも、餌木本体２の腹部の頭部側にウェイト６が内蔵されているが、ウェイト６の下面には前後に延びる突状部６ａが形成されており、その突状部６ａが餌木本体２に形成された矩形穴から餌木本体２の下面に露出する。
【００１７】
餌木１が水中に沈んでいくときに、最初に着底するのはウェイト６がある腹部である。この場合に、腹部が木材や合成樹脂であるよりも、第２の実施形態のように金属製のウェイト６を露出させておくことにより、振動が釣り人に伝わりやすくなる。これにより、餌木１が着底したかどうかの判断と、着底位置の状況判断が行いやすくなる。例えば着底位置が岩場等の硬質な状況であれば、「コツン」という振動が釣り人に伝わる。
【００１８】
（第３の実施形態）
上記第１、２の実施形態では、餌木本体２が中空部を有する外殻体とした例を説明したが、図５に示すように、餌木本体２を木材や合成樹脂の発泡材で形成し、餌木本体２が中実に構成されてもよい。なお、図５では、ラインアイ３及びフック４の図示を省略する。
【００１９】
本実施形態では、餌木本体２の腹部の頭部側に凹部２ａが形成されており、その凹部２ａにウェイト６が接着等により接合される。本実施形態の場合、ウェイト６が餌木１のボディラインの一部を構成し、ウェイト６が餌木１のボディラインの内側に位置することになる。
【００２０】
もちろん、第１の実施形態で述べたように餌木本体２が中空部を有する場合でも、凹部２ａを形成しておき、その凹部２ａにウェイト６を接合する構成としてもよい。
【００２１】
この場合も、ウェイト６が露出しているので、振動が釣り人に伝わりやすくなる。これにより、餌木１が着底したかどうかの判断と、着底位置の状況判断が行いやすくなる。
【００２２】
以上、本発明を種々の実施形態と共に説明したが、本発明はこれらの実施形態にのみ限定されるものではなく、本発明の範囲内で変更等が可能である。例えば餌木本体２の形状等は変形可能である。例えば図６に示すものは、餌木本体２が略中央で前後に２分割されており、その間にジョイント部７を有する構成としてもよい。ジョイント部７として例えばヒンジを用いれば、餌木本体２の前後が相互に独立して左右に揺動し、複雑な動きが可能となる。
【００２３】
また、ラインアイ３の位置も、上記実施形態では餌木本体２の最前部としたが、前端部の上側や下側に配置してもかまわない。
【００２４】
また、フック４の形状も、上記実施形態では針が２段階において放射状に延伸する所謂ダブルフックを示したが、シングルフックでもかまわない。さらに、図７に示すように、餌木１の上部側においてのみ針が放射状に延伸する形態としてよい。この場合、フック４の針が海底の岩や藻に引っ掛かりにくくなり、ウェイト６が餌木１のボディラインの内側に位置する構成と相まって、より根掛かりしない餌木を提供することができる。
【符号の説明】
【００２５】
１：餌木、２：餌木本体、３：ラインアイ、４：フック、５：毛、６：ウェイト
【図１】
2011092037.tif 000003
【図２】
2011092037.tif 000004
【図３】
2011092037.tif 000005
【図４】
2011092037.tif 000006
【図５】
2011092037.tif 000007
【図６】
2011092037.tif 000008
【図７】
2011092037.tif 000009